【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
路床上または路盤上に敷き詰めて舗装を行うために用いる舗装体であって、
廃材を用いた骨材と当該骨材どうしを接着させる接着剤とを混合して第１透水率にし、路床上または路盤上に単体で載せて敷くために板状に形成した本体部と、
前記廃材と同種または異種の廃材を用いた骨材と前記接着剤とを混合して第２透水率（ただし第２透水率≧第１透水率）にし、前記本体部とほぼ同位置から地下方向に延ばして埋めるために柱状に形成したドレーン部とを有する舗装体。
【請求項２】
請求項１に記載した舗装体であって、
本体部と同様にして板状に形成し、路床上または路盤上に単体で載せて敷く本体部どうしを連結する連結部を有する舗装体。
【請求項３】
請求項１または２に記載した舗装体であって、
ドレーン部は、地上に突出させる一方側の端部を凹状にするとともに、地下に向かう他方側の端部を凸状に形成した舗装体。
【請求項４】
請求項１から３のいずれか一項に記載した舗装体であって、
複数の本体部に対して一のドレーン部を備える場合には、
透水率の高い上層部と透水率の低い下層部とによって本体部を構成し、前記上層部を伝って前記一のドレーン部に向けて水を導く構成とした舗装体。
【手続補正２】
【補正対象書類名】明細書
【補正対象項目名】発明の名称
【補正方法】変更
【補正の内容】
【発明の名称】舗装体
【手続補正３】
【補正対象書類名】明細書
【補正対象項目名】０００１
【補正方法】変更
【補正の内容】
【０００１】  本発明は、路床上または路盤上に敷き詰めて舗装を行うために用いる舗装体に関する。
【手続補正４】
【補正対象書類名】明細書
【補正対象項目名】０００５
【補正方法】変更
【補正の内容】
【０００５】（１）課題を解決するための手段（以下では単に「解決手段」と呼ぶ。）１は、図１に模式的に示すように、路床上または路盤上に敷き詰めて舗装を行うために用いる舗装体１であって、
廃材を用いた骨材と当該骨材どうしを接着させる接着剤とを混合して第１透水率にし、路床上または路盤上に単体で載せて敷くために板状に形成した本体部３と、
前記廃材と同種または異種の廃材を用いた骨材と前記接着剤とを混合して第２透水率（ただし第２透水率≧第１透水率）にし、前記本体部３とほぼ同位置から地下方向に延ばして埋めるために柱状に形成したドレーン部６とを有する。
【手続補正５】
【補正対象書類名】明細書
【補正対象項目名】０００８
【補正方法】変更
【補正の内容】
【０００８】  本体部３は路床上または路盤上に単体で載せて敷くだけであるので、取り替えが容易に行える。すなわち長年の使用によって目詰まりが発生して透水効果が低下したときは、水洗い等により目詰まりの原因となった物を取り除くことができる。よって本体部３の再利用ができ、しかも簡単で素早く透水効果を回復させることができる。
なお、硬化後にほぼ透明（あるいは半透明）となる接着剤を用いた場合には、骨材として用いた素材そのものの特性（例えば色合いや木目等）をそのまま生かすことができる。また、接着剤としてエステル系高分子ポリマーとメタノール溶液との混合物を用いた場合には、植物の生育にほとんど障害を与えず、自然環境を保全することができる。
【手続補正６】
【補正対象書類名】明細書
【補正対象項目名】０００９
【補正方法】変更
【補正の内容】
【０００９】（２）解決手段２は、請求項１に記載した舗装体１であって、本体部３と同様にして板状に形成し、路床上または路盤上に単体で載せて敷く本体部３どうしを連結する連結部２を有する。
【手続補正７】
【補正対象書類名】明細書
【補正対象項目名】００４０
【補正方法】変更
【補正の内容】
【００４０】  〔舗装体を用いた施工例〕
まず図４に示すように、ドリル等の工具を用いて路床Ｇ２に穴３０を掘る。当該穴３０は、舗装ドレーン４０を埋められるだけの大きさ（径や深さ）が必要である。穴３０に舗装ドレーン４０の下端部４２から埋め、図５に示すように上端部３８を路床Ｇ２から露出させる。下端部４２は端部８に相当し、上端部３８は端部７に相当する。そして、当該上端部３８と舗装ブロック３２の孔３４とを嵌め合わせるため、上方から矢印Ｄ２のようにして単体の舗装ブロック３２を下ろす。こうして単体の舗装ブロック３２を路床Ｇ２に敷くとともに、上端部３８と孔３４とを嵌合させた状態を図６に示す。さらに図７に示す縦断面図や図８に示す斜視図のように、舗装ドレーン４０と嵌合させた舗装ブロック３２ａに隣接して他の舗装ブロック３２ｂを敷き詰め、二つの舗装ブロック３２相互間を連結部材４４で連結する。図７の例では、双方の舗装ブロック３２に備えた切欠き３６ｂに対して、連結部材４４を矢印Ｄ４のように嵌め込む様子を示す。また、図８の例では連結後の状態を示す。
【手続補正８】
【補正対象書類名】明細書
【補正対象項目名】００４７
【補正方法】変更
【補正の内容】
【００４７】  上述した実施例によれば、次のような各効果を得ることができる。
（１）図７，図８を参照すると、舗装部材４８は舗装ブロック３２と舗装ドレーン４０とによって構成した。舗装ブロック３２は第１透水率にし、路床上または路盤上に単体で載せて敷くために板状に形成した。舗装ドレーン４０は第２透水率にし、舗装ブロック３２とほぼ同位置から地下方向に延ばして埋めるために柱状に形成した。このように舗装ブロック３２と舗装ドレーン４０とは、形状が異なる点を除けば、双方とも骨材と接着剤とを混合して形成した。骨材として用いたのは廃材（自然廃材や産業廃材等）であるので、リサイクルに有効活用できる。
舗装ドレーン４０の透水率（第２透水率）は舗装ブロック３２の透水率（第１透水率）よりも同じか高くし、かつ舗装ブロック３２とほぼ同位置（すなわち路面付近）から地下方向に延ばして埋めるので、水は地中に浸透し易くなる。すなわち路面上の水は舗装ブロック３２を通じて路床等にも浸透させるとともに、舗装ドレーン４０を通じて地中にも浸透させることができるので、より多くの水を捌いて水溜まりの発生を少なく抑えることができる。路床Ｇ２等の土質に応じて舗装部材４８の透水率を変えてゆけば、その土質に合わせて路面全体でほぼ均等に水捌けができるようになる。
舗装ブロック３２は路床Ｇ２上に敷くだけであるので、取り替えが容易に行える。すなわち長年の使用によって目詰まりが発生して透水効果が低下したときは、水洗い等により目詰まりの原因となった物を取り除くことができる。よって舗装ブロック３２の再利用ができ、しかも簡単で素早く透水効果を回復させることができる。硬化後にほぼ透明（あるいは半透明）となる接着剤を用いた場合には、骨材として用いた素材そのものの特性（例えば色合いや木目等）をそのまま生かすことができる。
なお、路床Ｇ２が土間コンクリート等のときは、当該コンクリート表面と舗装ブロック３２とを接着剤で貼り付けたり、舗装ブロック３２どうしを接着剤で接着してもよい。この場合、コンクリートにあけた穴３０を通して舗装ドレーン４０を埋めることになる。こうすれば簡単な作業で舗装部材４８を路床Ｇ２上に敷き詰めることができ、水平方向へのズレも確実に防止できる。また施工費用も安く抑えることができる。
【手続補正９】
【補正対象書類名】明細書
【補正対象項目名】００４８
【補正方法】変更
【補正の内容】
【００４８】（２）舗装ブロック３２と同様にして板状に形成した連結部材４４を用いて、路床Ｇ２上に単体で載せて敷く舗装ブロック３２どうしを連結した（図７，図８を参照）。こうして連結された舗装ブロック３２どうし（図７，図８では舗装ブロック３２ａ，３２ｂ）はズレが生じないので、舗装ブロック３２相互間に砂（いわゆる砂目地）を注入してズレを防止する必要もない。また、舗装ドレーン４０は地下方向に延ばして埋めるので、舗装ブロック３２の位置ズレを防止する。したがって、舗装部材４８により路面を舗装するのに必要な手間と時間を少なく抑えることができる。なお、連結部材４４を取り外し可能な構造に形成すれば、舗装ブロック３２の移動や取り替えが容易になる。また、連結部材４４と舗装ドレーン４０とを一体化すれば、上述した舗装ブロック３２の連結機能と、地中に水を浸透させる機能との双方を持たせることができる。